(57)【要約】【課題】盗難に対する気の緩みが生じていても、確実に施錠すると共にキーを抜き取る行為に至らしめ得る自転車を提供すること。【解決手段】自転車構成部材のうちの固定部材に音声発生装置４が取り付けてあり、スタンド本体１０を起立状態にロックすべくロック板１１を移動したときにはスイッチ手段８を介して前記音声発生装置４が出力状態となって「錠前を施錠する旨」の音声を発し、錠前を施錠した後には「キーを抜き取る旨」の音声を発するようにしてある。【選択図】図１
2008018826.tif 000002
【特許請求の範囲】
【請求項１】
ロック板付きのスタンドと、ハンドル回動又は車輪回転を不能ならしめる錠前を具備し、不使用時においては、開錠状態にある錠前を施錠した後、当該錠前からキーを抜き取る形式の自転車において、自転車構成部材のうちの固定部材に音声発生装置が取り付けてあり、スタンド本体を起立状態にロックすべくロック板を移動したときにはスイッチ手段を介して前記音声発生装置が出力状態となって「錠前を施錠する旨」の音声を発し、錠前を施錠した後には「キーを抜き取る旨」の音声を発するようにしてあることを特徴とする自転車。
【請求項２】
音声発生装置は、スタンド本体がロック板により起立状態にロックされた状態において錠前のキー孔にキーを差し込んで開錠したときには「錠前が開錠された旨」の音声を発し、続いてスタンドのロック板を解除すべく移動したときには「使用者に対して安全走行する旨」の音声を発するようにしてあることを特徴とする請求項１記載の自転車。
【請求項３】
スイッチ手段は、スタンドのロック板に連動してワイヤーが移動することによりＯＮ状態になり、これにより音声発生装置を出力状態にするものであることを特徴とする請求項１又は２記載の自転車。
【請求項４】
この自転車は、錠前にはフラッシングライトが取り付けられており、前記フラッシングライトは、錠前が開錠状態にあるときには絶えずフラッシングしており、施錠状態にあるときに消灯していることを特徴とする請求項１乃至４のいずれかに記載の自転車。
【発明の詳細な説明】
【技術分野】
【０００１】
この発明は、錠前の掛け忘れ及びキーの抜き忘れを防止して盗難被害を回避できる自転車に関するものである。
【背景技術】
【０００２】
自転車には盗難防止を目的としてハンドル回動又は車輪回転を不能ならしめ錠前が取り付けられている（例えば、特許文献１）。
【０００３】
ところが、近年の若年層による犯罪増加を検証すると、自転車を盗む事件が非常に多くなっている。その理由は、自転車は盗まれないという所有者の気の弛みによるものであり、結局はこの油断が若年層の犯罪を助長しているのである。
【０００４】
したがって、若年層の犯罪を減少させるべく、駐輪時に錠前を掛け忘れ等について呼びかけているが、所有者の意識の改善はほとんど見受けられないのが現状である。
【特許文献１】特願２００４−３５９１３９号（図３参照）
【発明の開示】
【発明が解決しようとする課題】
【０００５】
そこで、この発明では、盗難に対する気の緩みが生じていても、確実に施錠すると共にキーを抜き取る行為に至らしめ得る自転車を提供することを課題とする。
【課題を解決するための手段】
【０００６】
（請求項１記載の発明）
この自転車は、ロック板付きのスタンドと、ハンドル回動又は車輪回転を不能ならしめる錠前を具備し、不使用時においては、開錠状態にある錠前を施錠した後、当該錠前からキーを抜き取る形式の自転車において、自転車構成部材のうちの固定部材に音声発生装置が取り付けてあり、スタンド本体を起立状態にロックすべくロック板を移動したときにはスイッチ手段を介して前記音声発生装置が出力状態となって「錠前を施錠する旨」の音声を発し、錠前を施錠した後には「キーを抜き取る旨」の音声を発するようにしてある。
【０００７】
（請求項２記載の発明）
この自転車は、上記請求項１記載の発明に関し、音声発生装置は、スタンド本体がロック板により起立状態にロックされた状態において錠前のキー孔にキーを差し込んで開錠したときには「錠前が開錠された旨」の音声を発し、続いてスタンドのロック板を解除すべく移動したときには「使用者に対して安全走行する旨」の音声を発するようにしてある。
【０００８】
（請求項３記載の発明）
この自転車は、上記請求項１又は２記載の発明に関し、スイッチ手段は、スタンドのロック板に連動してワイヤーが移動することによりＯＮ状態になり、これにより音声発生装置を出力状態にするものである。
【０００９】
（請求項４記載の発明）
この自転車は、上記請求項１乃至３のいずれかに記載の発明に関し、錠前にはフラッシングライトが取り付けられており、前記フラッシングライトは、錠前が開錠状態にあるときには絶えずフラッシングしており、施錠状態にあるときに消灯している
【発明の効果】
【００１０】
この発明の自転車によると、盗難に対する気の緩みが生じていても、確実に施錠すると共にキーを抜き取る行為に至らしめ得る。
【発明を実施するための最良の形態】
【００１１】
以下にこの発明における自転車を実施するための最良の形態として実施例について詳しく説明する。
【実施例１】
【００１２】
図１は自転車の縦パイプ９０、バックホーク９１、チェーンステー９２錠前３、後輪部９３、及び音声発生装置４等の配置を示す説明図、図２は前記錠前に設けられたフラッシングライト５の説明図を示している。
【００１３】
（自転車Ｊの基本的構成について）
自転車Ｊは、基本的構成については一般的なものと相違するところは無いが、この自転車Ｊは、図１に示すように、縦パイプ９０に音声発生装置４を取り付けてあり、スタンド本体１０を起立状態にロックすべくロック板１１を移動しスイッチ手段８（図４参照）をＯＮ状態にしたときには、前記音声発生装置４が出力状態となって「錠前を施錠する旨」の音声を発し、錠前３を施錠した後には「キーを抜き取る旨」の音声を発するようにしてある。また、スタンド本体１０がロック板１１により起立状態にロックされた状態において錠前３のキー孔にキーを差し込んで開錠したときには「錠前が開錠された旨」の音声を発し、続いてスタンド１０のロック板１１を解除すべく移動したときには「使用者に対して安全走行する旨」の音声を発するようにしてある。
【００１４】
なお、この実施例において、上記スイッチ手段８は、錠前３内に一体化してあり、スタンド本体１０のロック板１１の移動に連動してワイヤー２が押し出されることによりＯＮ状態になるものとしてある。また、上記錠前３には、図２に示すように、フラッシングライト５が取り付けられており、前記フラッシングライト５は、錠前３が開錠状態にあるときには絶えずフラッシングし、施錠状態にあるときには消灯しているものとしてある。
【００１５】
（スタンド１の構成について）
スタンド１は、図３に示すように、スタンド本体１０とロック板１１を有するものであり、スタンド本体１０を起立させた後、図３に示す如くロック板１０をロック状態に移動（一点鎖線の状態から実線の状態に移動）させたときには、不用意にスタンド本体１０が非ロック状態にならないようにしてある。
【００１６】
ここで、上記スタンド１では、ロック板１０がロック状態に移動（一点鎖線の状態から実線の状態に移動）したときには、移動前よりも移動後においてロック板１０の出力辺部分１２が少し前方へ移動するものとしてある。
【００１７】
（ワイヤー２の構成について）
ワイヤー２は、図１や図４に示すように、ステンレス線を撚り合わせて形成されたワイヤー本体２０を、耐候性に優れたチューブ２１で包皮して成るものであり、前記チューブ２１の両端部に端末部２２，２３を施してある。そして、図３や図４に示すように、前記端末部２2，２３からはそれぞれワイヤー本体２０が突出していると共にその突出端にはそれぞれステンレス製の球体２４，２５が一体化されている。
【００１８】
（ワイヤー２のスタンド１側への取り付けについて）
上記端末部２２、前記端末部２２から突出するワイヤー本体２０及び球体２４は、図３に示すように、第１保持筒体６内に挿入保持されており、前記第１保持筒体６は、ブラケットＢを介してチェーンステー９２に取り付けられている。
【００１９】
第１保持筒体６は、図３に示すように、固定筒６０と、当該固定筒６０に進退自在に挿入された可動筒６１と、可動筒６１を押し出す方向に移動させるべく設けられたバネ６２とから構成されており、球体２４は可動筒６１内の底壁に当接せしめられている。
【００２０】
したがって、スタンド本体１０を起立させた後、ロック板１０をロック状態に移動（一点鎖線の状態から実線の状態に移動）させたときには、バネ６２の付勢力に抗して可動筒６１と共にワイヤー本体２１は押し込まれることになる。  
【００２１】
なお、ロック板１０を非ロック状態に移動（実線の状態から一点鎖線の状態に移動）させたときには、バネ６２の付勢力により可動筒６１と共にワイヤー本体２１は元の位置に引き戻される。
【００２２】
（ワイヤー２の錠前３側への取り付けについて）
上記端末部２３から突出するワイヤー本体２０及び球体２５は、図４や図５に示すように、固定金具７aを介して錠前３内の第２保持筒体７内に導かれている。
【００２３】
上述した如くスタンド本体１０を起立させた後、ロック板１１をロック状態に移動（一点鎖線の状態から実線の状態に移動）させたときにはワイヤー本体２１は押し込まれることになり、その結果、球体２５が実線の位置から二点鎖線の位置に移動して、第２保持筒体７に設けられた左右の配線群７０，７１相互は電気的接続状態（スイッチ８がＯＮ状態）となる。
【００２４】
また、前記状態から、ロック板１１を非ロック状態に移動（実線の状態から一点鎖線の状態に移動）させたときにはワイヤー本体２１はスタンド側へ引き戻されることになり、その結果、球体２５が二点鎖線の位置から実線の位置に移動して、第２保持筒体７に設けられた左右の配線群７０，７１相互は電気的非接続状態（スイッチ８がＯＦＦ状態）となる。
【００２５】
なお、上記配線郡７０，７１は音声発生装置４に導かれている。
【００２６】
（錠前３の構成について）
錠前３は、図５に示すように、所謂サークル錠であり、正面視円弧状の錠本体３０と、前記錠本体３０内に収容され且つ錠本体３０の円弧形状に倣って施錠又は開錠位置に移動せしめられる円弧錠の閂３１と、前記閂３１と一体的に移動する操作摘まみ３２と、施錠位置にある閂３１を移動不能にロックする機能を有するシリンダ錠（図示せず）を備えている。なお、自転車においては、閂３１が施錠位置にあるときにはキーはシリンダ錠から抜けるが、閂３１が開錠位置にあるときにはキーはシリンダ錠から抜けないようになっている。
【００２７】
ここで、上記操作摘まみ３２を摘んで、閂３１を開錠状態から施錠状態にすると、閂３１と一体的に動く小突起３１ａによりリミットスイッチ３３の入力部が押し込まれるようになっており、リミットスイッチ３３からの配線郡３４は上記配線郡７０，７１共に音声発生装置４に導かれている。
【００２８】
（音声発生装置４について）
音声発生手段４は、図６に示すような構成となっており、スタンド１及び錠前３からの出力(ＯＮ−ＯＦＦ)により、以下に示すような音声を発生する。
(1)自転車を駐輪する場合  
自転車を駐輪する場合、スタンド本体１０を起立させ、ロック板１１をロック状態に移動させる。このロック板１１の移動作業により、スイッチ８はＯＮ状態となり、音声発生装置４のデコーダにより選択された「錠前を施錠する旨」の音声をスピーカーから発する。
【００２９】
次に、「錠前を施錠する旨」の音声にしたがって、使用者が錠前を施錠すると、音声発生装置4により選択された「キーを抜き取る旨」の音声をスピーカーから発する。これにより使用者はキーの抜き取り操作をする。
【００３０】
このような音声により、使用者に盗難に対する気の緩みが生じていても、上記音声指示により確実に施錠すると共にキーを抜き取る行為をすることになる。
【００３１】
(2)駐輪されていた自転車を使用する場合
スタンド本体１０がロック板１１により起立状態にロックされた状態において、錠前３のキー孔にキーを差し込んで開錠したときには、音声発生装置4により選択された「錠前が開錠された旨」の音声をスピーカーから発する。これと同時に、消灯状態にあったフラッシングライト５は、絶えずフラッシングすることになる。
【００３２】
次に、スタンド１０のロック板１１を解除すべく移動したときには音声発生装置4により選択された「使用者に対して安全走行する旨」の音声をスピーカーから発する。
【００３３】
このような音声により、使用者の安全走行の意識が高まると共にフラッシングライト５のフラッシングにより安全性は高まる。
【００３４】
(3)上述のように、この自転車は、使用者に対して、盗難防止に対する意識を高め、且つ安全走行を可能にする。
【図面の簡単な説明】
【００３５】
【図１】自転車のシート、立てパイプ、バックホーク、錠前、後輪部、及び音声発生装置等の配置を示す説明図。
【図２】前記錠前に設けられたフラッシングライトの説明図。
【図３】前記自転車のスタンド周りの部分断面図。
【図４】前記自転車の錠前側に存在する第２保持筒体の断面図。
【図５】前記錠前周りの背面図。
【図６】音声発生装置の働きを示す説明図。
【符号の説明】
【００３６】
Ｊ        自転者
１        スタンド
１０      スタンド本体
１１      ロック板
２        ワイヤー
３        錠前
４        音声発生装置
５        フラッシュライト
６        第１保持筒
７        第２保持筒
８        スイッチ手段
【図１】
2008018826.tif 000003
【図２】
2008018826.tif 000004
【図３】
2008018826.tif 000005
【図４】
2008018826.tif 000006
【図５】
2008018826.tif 000007
【図６】
2008018826.tif 000008